(57)【要約】  本発明は、被検者の少なくとも１つの視力パラメータを決定する装置に関し、装置は、被検者の視力を所定の視方向で刺激する刺激手段と、被検者の少なくとも１つの視力パラメータの眼科的測定のための手段を含み、前記眼科的測定のための手段は、各眼について最大で１つの光学測定軸を有する。本発明によれば、装置は、前記眼科的測定装置と測定対象の被検者の右眼及び／又は左眼の間に配置された少なくとも１つの光学共役システムと、前記光学的共役システムを、点Ｙと点Ｅが光学的に共役となるように整合させ、点Ｙは関係する眼の光学回転中心と一致させられ、点Ｅは前記光学的測定軸の上にある点であり、また、前記光学的測定軸の像を複数の視方向における被検者の右眼又は左眼の眼軸と整合させるように整合させるためのシステムと、を含む。
2015502232.tif 000002
【特許請求の範囲】
【請求項１】
被検者の少なくとも１つの視力パラメータを、前記被検者の複数の単眼又は両眼視方向に沿って決定する装置であって、
−決定されるべき視力パラメータを測定する眼科的手段であって、照明光ビームを放出し、対象の眼の事前設定された視方向と整合された少なくとも１つの測定光軸（２）に沿って測定光ビームを受け取ることができる眼科的手段を含む両眼又は単眼用眼科的測定装置と、
−前記対象の眼の前記事前設定された視方向と整合された刺激光軸に沿って刺激光ビームを生成できる視覚刺激手段と、
−被検者の頭を受け、それを設定された姿勢に保持することのできる頭部支持手段と、を含む装置において、
前記測定光軸（２）上の第一の焦点（Ｅ）と、第二の焦点（Ｙ）とを有する楕円（３）が画定され、前記装置が、
−前記眼科的測定手段（１）と前記対象の眼（１０、２０）との間に設置された少なくとも１つの光学整合システムであって、前記楕円（３）の前記焦点（Ｅ、Ｙ）間の前記照明及び測定光ビームを反射することができる光学整合システムと、
−前記頭部支持手段に対する前記光学整合システムの相対位置を変更して、前記第二の焦点（Ｙ）を前記被検者の前記対象の眼の回転中心付近に移動させることのできる調整手段と、
をさらに含み、
−前記光学整合システムが、第一の反射光学手段（１５、１６、１６−Ａ、１６−Ｃ、３１−Ａ、３１−Ｂ、４１−Ａ、４１−Ｂ）と第二の反射光学手段（１７、１８、３２，４２）とを含み、前記第一の反射光学手段が前記対象の眼の第一の視方向（１１、２１）の第一の地点（Ａ）及び少なくとも１つの他の視方向（１２、１３、２２、２３）の少なくとも１つの他の地点（Ｂ、Ｃ）において前記楕円（３）と接し、前記第二の反射光学手段（１７、１８、３２，４２）が、前記光学整合システムが前記第一の視方向（１１、２１）を前記測定光軸（２）と整合させる第一の位置（１８−Ａ）と、前記光学整合システムが前記対象の眼の前記少なくとも１つの他の視方向（１２、１３、２２、２３）を前記測定光軸（２）と整合させる少なくとも１つの他の位置（１８−Ｂ、１８−Ｃ）との間で前記第一の焦点（Ｅ）回りに回転移動されるように取り付けられる
ことを特徴とする装置。
【請求項２】
前記第一の反射光学手段が、球面ミラー、平面ミラー、複数の平面ミラー（１６−Ａ、１６−Ｃ）、ダイクロイックプレート（３１−Ａ、３１−Ｂ）、又は複数のダイクロイックプレート（３１−Ａ、３１−Ｂ、４１−Ａ、４１−Ｂ）を含む、請求項１に記載の少なくとも１つの視力パラメータを決定する装置。
【請求項３】
前記第一の反射光学手段が第一のミラー（１５、１６）を含み、前記光学整合システムが、前記第一のミラー（１５、１６）を移動させる手段を含み、前記手段が前記第一のミラー（１５、１６）を、前記被検者の両眼又は単眼視方向に応じて、事前設定された軌道に沿って移動させることができる、請求項１又は２に記載の少なくとも１つの視力パラメータを決定する装置。
【請求項４】
前記第一のミラーを移動させる前記手段が、リンクコネクティングロッドのヒンジ式システム、カム及び／又は機械的案内システムを含む、請求項３に記載の少なくとも１つの視力パラメータを決定する装置。
【請求項５】
前記事前設定された軌道が楕円軌道であり、前記第一のミラー（１５、１６）が、前記楕円軌道と接するような向きとされる、請求項３又は４に記載の少なくとも１つの視力パラメータを決定する装置。
【請求項６】
前記第一の反射光学手段が、第一の地点（Ａ）で前記楕円（３）と接する第一の事前設定位置を有する第一のミラー（１６−Ａ）と、他の地点（Ｃ）で前記楕円（３）と接する第二の事前設定位置を有する第二のミラー（１６−Ｃ）とを含む、請求項１乃至５の何れか１項に記載の少なくとも１つの視力パラメータを決定する装置。
【請求項７】
前記第一の反射光学手段が楕円面ミラーを含み、前記第二の反射光学手段が、光学的パワーが非ゼロである第二のミラーを含み、それによって前記第一のミラー及び第二のミラーによって形成された前記光学整合システムは一次収差に対して無限焦点である、請求項１に記載の少なくとも１つの視力パラメータを決定する装置。
【請求項８】
前記第二の反射光学手段（１７、１８、３２、４２）が平面ミラーを含む、請求項１乃至７の何れか１項に記載の少なくとも１つの視力パラメータを決定する装置。
【請求項９】
前記光学整合システムが、前記第二の反射光学手段（１７、１８、３２、４２）を、前記両眼又は単眼視方向（１１、２１、１２、２２、１３、２３）に応じて前記楕円（３）の前記第一の焦点（Ｅ）回りに旋回させることができる、前記第二の反射光学手段（１７、１８、３２、４２）の方向付け手段を含む、請求項１乃至８の何れか１項に記載の少なくとも１つの視力パラメータを決定する装置。
【請求項１０】
前記光学整合システムを傾斜させるための手段を含み、前記傾斜手段が、前記楕円（３）の焦点を通る軸の周囲で、前記楕円（３）の平面を方向付けることができる、請求項１乃至９の何れか１項に記載の少なくとも１つの視力パラメータを決定する装置。
【請求項１１】
前記光学整合システムが、第一の視方向と関連する少なくとも１つの第一の事前設定位置と、少なくとも１つの他の視方向に関連する少なくとも１つの他の事前設定位置を含む、請求項１乃至１０の何れか１項に記載の少なくとも１つの視力パラメータを決定する装置。
【請求項１２】
前記第一の視方向が、前記被検者のまっすぐ前方の水平方向に対応し、前記少なくとも１つの他の視方向が、水平に対して傾斜する近見視方向に対応する、請求項１１に記載の少なくとも１つの視力パラメータを決定する装置。
【請求項１３】
前記眼科的測定手段が、少なくとも１つの視力パラメータ、例えば球面屈折、円柱面屈折、円柱軸の角度、より高次の収差、角膜曲率測定及び／又は角膜形状分析型のパラメータ、及び／又は第一の視方向と少なくとも１つの他の視方向とにおける瞳径、及び／又は前記第一の視方向において測定された視力パラメータと前記少なくとも１つの他の視方向に測定された視力パラメータとの間の差を測定して記録することができる、請求項１乃至１２の何れか１項に記載の少なくとも１つの視力パラメータを決定する装置。
【請求項１４】
前記眼科的測定装置が、前記被検者の右眼に関連する第一の測定軸と、前記被検者の左眼に関連する第二の測定軸とを有する両眼用装置であり、前記装置が、
−前記両眼用眼科的測定装置と前記被検者の前記右眼との間に設置された、請求項１乃至１３の何れか１項に記載の第一の光学整合システムと、
−前記両眼用眼科的測定装置と前記被検者の前記左眼の間に設置された、請求項１乃至１３の何れか１項に記載の第二の光学整合システムと
を含む、請求項１乃至１３の何れか１項に記載の少なくとも１つの視力パラメータを決定する装置。
【発明の詳細な説明】
【技術分野】
【０００１】
一般に、本発明は検眼装置及び方法の分野に関する。より詳しくは、本発明は、累進又は多焦点視力矯正眼鏡、又は近見視力矯正眼鏡（老眼鏡）用のレンズの処方の様々な数値を決定する検眼装置に関し、これらの数値は複数の注視線、特に遠方注視線と近方注視線の間で異なる眼屈折力の測定に関係する。これらの測定値は、累進又は多焦点眼鏡用、又は近見視力矯正眼鏡（非累進眼鏡や老眼鏡）用の矯正レンズの屈折面の光学設計と製造に使用することが意図され、これがパッシブレンズ又は電子的に制御される可変的な光学的屈折力を有するレンズの問題か否かを問わない。
【背景技術】
【０００２】
最近５０余年にわたり、矯正用多焦点及び累進眼鏡レンズ市場は大きな成長を遂げた。矯正用多焦点レンズは、少なくとも２つの別々の矯正力をレンズの２つの領域内に有し、これらは２つの視距離に対応する。矯正用累進レンズは、レンズ表面にわたって変化する度数を有し、これは例えば老眼の矯正の場合、遠見視（ＦＶ）用の、球面屈折力矯正力の小さい領域から、近見視（ＮＶ）用の、球面屈折力矯正力がより大きい領域へと変化する。矯正用累進レンズは一般に、遠見視距離と近見視距離の間の中間視距離のための平均的矯正力を提供する。矯正用多焦点又は累進眼鏡レンズによれば、使用者は眼鏡を交換することなく、様々な視距離に適応された光学的屈折力矯正の恩恵を受けることができる。矯正用多焦点レンズ又は矯正用累進レンズのパラメータを決定するために、単眼又は両眼用検眼装置を使用して、適用するべき近見視力及び遠見視力の光学的矯正が測定される。それゆえ、片眼からの光ビームの反射及び／又は屈折の測定を利用する検眼装置により、ＦＶ／ＮＶの差のある屈折力（又は球面屈折力）矯正を測定することが可能であり、すなわち、近見視力と遠見視力矯正を被測定眼に適用することができる。矯正用累進又は矯正用多焦点レンズは、光学的屈折力異常だけでなく、他の視覚障害、特に乱視も矯正できる。同じ眼反射及び／又は眼屈折測定の原理に基づいて、ほとんどの検眼装置で、乱視矯正パラメータ（円柱屈折力と円柱軸の角度）及び／又は、より高次の矯正パラメータを測定できる（人の眼の収差の報告を可能にする標準化された方法を明記した規格ＩＳＯ  ２４１５７：２００８参照）。
【０００３】
現在、ＦＶ／ＮＶ示差的眼反射及び／又は屈折測定は手動でのみ行われている。検眼士は、テストレンズを使って、矯正用レンズ処方のための各種の数値を決定する。
【０００４】
従来の検眼装置では、眼軸上に挿入された光学システムが光学的屈折力を調整して、視標の視覚調節距離を変更させ、その際、注視線の視線は水平に保たれる。
【０００５】
現在の示差的（ＦＶ／ＮＶ）屈折測定の研究は、近見視屈折力を、この近見視に伴って生理的に下降する注視線に追従しながら測定する、という問題に直面している。文献、欧州特許第１  ８８２  ４４４号は、各種の注視線方向に沿った眼の視覚的特性を測定するための方法と装置を開示しており、収差計が回転可動式ホルダの上に設置され、測定軸を傾斜させて、下降する注視線方向に沿うように一致させる。しかしながら、現時点で市販されている装置を使って注視線方向を自然に下降させ、又は上昇させることが望まれる場合、測定チャネルを被検者の自然な注視軸と整合させることは技術的に難しい（又は、場合によっては不可能でさえある）。特に、被検者の頭が装置にぶつかる傾向がある。さらに、既存のシステムの機械的要素、特にセンタリング用の並進運動プラテンが水平面内で機能するように設計されている。
【０００６】
現在のところ、各種の眼軸方向に沿って、又は各種の注視線方向に沿って、遠見視／近見視間に差のある屈折効果を検査できる自動屈折計又は収差計型検眼装置はない。
【発明の概要】
【発明が解決しようとする課題】
【０００７】
本発明の目的は、被検者の視距離と被検者の両眼又は単眼視方向とに応じて異なる眼科的測定の精度を改善することにより、矯正用累進又は多焦点眼鏡レンズを装用する被検者が体験する視野条件に応じて提供される示差的矯正を改善することである。特に、ＦＶ／ＮＶで異なる乱視の測定値を得ることを目指す。これに加えて、同様に被検者の注視線がＦＶ又はＮＶ位置の何れにあるかに応じて異なる、より高次の収差の測定値を得ることも目指す。
【０００８】
本発明の目的の１つは、被検者について、その両眼又は単眼視方向に応じて少なくとも１つのＦＶ／ＮＶ示差的視力パラメータの（他覚的又は自覚的）測定を実行する検眼装置及び方法を提供することである。
【０００９】
本発明は、被検者の各種の両眼又は単眼視方向に沿って少なくとも１つの視力パラメータを測定する検眼装置を提供することを目的とする。
【課題を解決するための手段】
【００１０】
先行技術の上記の欠点を修正するために、本発明は、被検者の少なくとも１つの視力パラメータを、その被検者の複数の単眼又は両眼視方向に沿って決定する装置を提供し、前記装置は、決定されるべき視力パラメータを測定する眼科的手段であって、照明光ビームを放出し、対象の眼の事前設定された視方向と整合された少なくとも１つの測定光軸に沿って測定光ビームを受け取ることができる眼科的手段を含む両眼又は単眼用眼科的測定装置と、対象の眼の前記事前設定された視方向と整合された刺激光軸に沿って刺激光ビームを生成できる視覚刺激手段と、被検者の頭を受け、それを設定された姿勢に保持することのできる頭部支持手段とを含む。
【００１１】
より詳しくは、前記測定光軸上の第一の焦点と、第二の焦点とを有する楕円が画定され、本発明によれば、眼科的測定手段と対象の眼との間に設置された少なくとも１つの光学整合システムを含む装置が提供され、前記光学整合システムは、楕円の焦点間の前記照明及び測定光ビームを反射することができる。本発明によれば、装置は、頭部支持手段に対する前記光学整合システムの相対位置を変更して、第二の焦点を被検者の対象の眼の回転中心付近に移動させることのできる調整手段をさらに含む。本発明によれば、前記光学整合システムは、第一の反射光学手段と第二の反射光学手段とを含み、前記第一の反射光学手段は対象の眼の第一の視方向の第一の地点及び少なくとも１つの他の視方向の少なくとも１つの他の地点において前記楕円と接し、前記第二の反射光学手段は、光学整合システムが前記第一の視方向を測定光軸と整合させる第一の位置と、光学整合システムが対象の眼の前記少なくとも１つの他の視方向を測定光軸と整合させる少なくとも１つの他の位置との間で第一の焦点回りに回転移動されるように取り付けられる。
【００１２】
以下に、本発明による、被検者の少なくとも１つの視力パラメータを、その被検者の複数の単眼又は両眼視方向に沿って決定する装置の、非限定な他の有利な特徴を記す。
−前記第一の反射光学手段は、１つの球面ミラー、１つの平面ミラー、複数の平面ミラー、１つのダイクロイックプレート、又は複数のダイクロイックプレートを含み、
−前記第一の反射光学手段は第一のミラーを含み、前記第一の光学整合システムは、第一のミラーを移動させる手段を含み、この手段は第一のミラーを、被検者の両眼又は単眼視方向に応じて、事前設定された軌道に沿って移動させることができ、
−前記第一のミラーを移動させる前記手段は、リンクコネクティングロッドのヒンジシステム及び／又はカム及び／又は機械的案内システムを含み、
−前記事前設定された軌道は楕円軌道であり、前記第一のミラーは、前記楕円軌道と接するような向きとされ、
−前記第一の反射光学手段は、第一の地点で前記楕円と接する第一の事前設定位置を有する第一のミラーと、第二の地点で前記楕円と接する第二の事前設定位置を有する第二のミラーとを含む。
【００１３】
あるいは、前記第一の反射光学手段は、楕円面ミラー又は、より一般的には、点Ｙの光学的共役が点Ｅであるような光学面を含み、前記第二の反射光学手段は、光学的パワーが非ゼロである第二のミラーを含み、それによって第一のミラー及び第二のミラーによって形成された光学整合システムは、概して無限焦点、すなわち、ガウス近似における平均球の意味で一次収差に対して無限焦点である。
【００１４】
特定の具体的な態様によれば、
−前記第二の反射光学手段は平面ミラーを含み、
−前記光学整合システムは、第二の反射光学手段を、両眼又は単眼視方向に応じて楕円の第一の焦点回りに旋回させることができる、第二の反射光学手段方向付け手段を含み、
−前記整合システムは、前記光学整合システムを傾斜させるための手段を含み、前記傾斜手段は楕円の焦点を通る軸の周囲で楕円の平面を方向付けることができ、
−前記光学整合システムは、第一の視方向と関連する少なくとも１つの第一の事前設定位置と、前記少なくとも１つの他の視方向に関連する少なくとも１つの他の事前設定位置を含み、
−前記第一の視方向は、被検者のまっすぐ前方の水平方向であり、前記少なくとも１つの他の視方向は、水平に対して傾斜する近見視方向に対応し、
−装置は、前記少なくとも１つの第一の注視線下降角度のための第一の事前設定位置と、前記少なくとも１つの他の注視線下降角度のための第二の事前設定位置とを含み、
−眼科的測定手段は、少なくとも１つの視力パラメータ、例えば球面屈折、円柱面屈折、円柱軸の角度、より高次の収差、角膜曲率測定及び／又は角膜形状分析型のパラメータ、及び／又は第一の視方向と少なくとも１つの他の視方向とにおける瞳径、及び／又は前記第一の視方向において測定された視力パラメータと、前記少なくとも１つの他の視方向に測定された視力パラメータとの間の差を測定して記録することができる。
【００１５】
１つの具体的な実施形態によれば、前記眼科的測定装置は、被検者の右眼に関連する第一の測定軸と、被検者の左眼に関連する第二の測定軸とを有する両眼用装置であり、前記装置は、
−前記両眼用眼科的測定装置と被検者の右眼との間に設置された、本発明の実施形態の１つによる第一の光学整合システムと、
−前記両眼用眼科的測定装置と前記被検者の左眼の間に設置された、本発明の実施形態の１つによる第二の光学整合システムと
を含む。
【００１６】
非限定的な例として、添付の図面に関する以下の説明により、何が本発明を構成するか、及びそれをどのように実施できるかが理解されるであろう。
【図面の簡単な説明】
【００１７】
【図１】本発明の第一の実施形態による装置を概略的に示す。
【図２】本発明の第一の実施形態の第一の変形による装置を概略的に示す。
【図３】本発明の第一の実施形態の第二の変形による装置を概略的に示す。
【図４】本発明の第三の実施形態による装置を概略的に示す。
【図５】本発明の第三の実施形態による装置を概略的に示す。
【図６Ａ】本発明の１つの好ましい実施形態による両眼用装置の各種の図面を概略的に示す。
【図６Ｂ】本発明の１つの好ましい実施形態による両眼用装置の各種の図面を概略的に示す。
【図６Ｃ】本発明の１つの好ましい実施形態による両眼用装置の各種の図面を概略的に示す。
【図６Ｄ】本発明の１つの好ましい実施形態による両眼用装置の各種の図面を概略的に示す。
【図６Ｅ】本発明の１つの好ましい実施形態による両眼用装置の各種の図面を概略的に示す。
【図６Ｆ】本発明の１つの好ましい実施形態による両眼用装置の各種の図面を概略的に示す。
【発明を実施するための形態】
【００１８】
以下の説明において、被検者は、頭がまっすぐになるように、すなわち被検者の頭のフランクフルト平面が実質的に平面になるように座っているか、立っていると考えられる。解剖学では、フランクフルト平面は頭がい骨の検査を可能にする基準面である。これは、ウィルヒョウ（Ｖｉｒｃｈｏｗ）面と呼ばれることもあり、前方の眼窩底から外耳道の上で後方に通過する。被検者はまた、起立姿勢を取っているとも言われ、この姿勢では、被検者はほとんど努力していない。
【００１９】
被検者の頭３０の正中面又は矢状面ＰＳＡＧは、頭の前後軸に平行で、両眼間の中間点を通過する垂直面となるように画定される。矢状面は、図１の平面に平行である。被検者の注視軸又は視線ＤＶは被検者の矢状面に平行な平面内に位置付けられるように画定される。被検者がまっすぐその無限前方を見ている時、視線は、一次注視軸に対応する水平線ＤＶＩである。被検者の注視軸は遠見視位置において水平である。後述の測定中、被検者には、その注視線を下げ、又は上げ、及び／又はその注視線を左右に向ける（この場合、注視軸は平面ＰＳＡＧに平行ではなくなる）ように指示し、その間、頭３０は当初の起立位置に保たれる。被検者が輻輳を一切伴わずに単純に下降させる場合、視線ＤＶは矢状面に平行で、水平線に関して傾斜した平面内に位置付けられる直線である。右眼軸は、被検者が焦点を合わせた物体と右眼の射出瞳の中心（すなわち、角膜により生成される実際の瞳の像）を通る軸と定義される。これら以外の定義も可能であり、例えば右眼軸は、右眼の回転中心と右眼の瞳の中心を通過する直線と、又は焦点が合わされた物体と網膜上のその対応する像を結ぶ軸とも定義できる。これらの定義はすべて、略同じ軸を表す。同様に、左眼軸は、被検者が焦点を合わせた物体と左眼の射出瞳の中心を通る軸と定義される。
【００２０】
いわゆる「遠見視位置」とは、被検者がその無限前方にある物体に焦点を合わせている状態に対応し、視線は水平である。物体の像は無限位置にあるため、両眼の輻輳角はゼロである（左右の眼軸は平行である）。遠見視はしたがって、近さパラメータゼロ（０ディオプタ）と注視線下降角度ゼロに関連する。このような近さの結果として、有効輻輳角は遠見視の場合、概してゼロである。いわゆる「近見視位置」とは、被検者が自分の前方の近い位置（例えば、前方２０〜４０ｃｍ）の物体の像に焦点を合わせている状態に対応し、視線は下がる。近見視位置では、両眼が物体の像に向かって輻輳する。近見視はしたがって、近さパラメータ非ゼロ（０．５〜５ディオプタ）と注視線下降角度非ゼロ（１５〜６０度の間に含まれる）に関連する。近さ（０．５Ｄ）と注視線下降角度（下降角度１５度）の点で中間にある中間見位置（ＩＶ）は、例えば、コンピュータスクリーンを読むのに快適な距離に対応する。
【００２１】
矯正用多焦点又は累進レンズの至適矯正は、視標の近さに応じてだけでなく、それと共に注視線の下降に応じても変化する。被検者の眼の、注視線の下降に応じた運動学を調査した研究により、自然な遠見視位置（注視軸が水平）と自然な近見視位置（例えば書類を読むために注視軸が下降）の間の眼の運動を調べることができる。両眼について、瞳孔間距離の変化という結果を伴う輻輳が観察されるだけでなく、これに限定されないが、片眼のその眼軸回りの回転が観察され、下がった瞼による角膜への圧力が増すことが観察され、水晶体が調節によって偏心することが観察される。その結果として、眼の生理的乱視軸の方位と乱視の数値は、眼が自然な遠見視位置から自然な近見視位置へと移行するのとともに変化する。しかしながら、近見視及び遠見視位置間のこのような乱視の変化は一般に、矯正用多焦点レンズ又は矯正用累進レンズのパラメータ化の際に考慮されない。より一般的には、眼科矯正パラメータ（球面屈折力、円柱屈折力、円柱軸の角度、より高次収差、角膜曲率測定、角膜形状解析、等）を、視標の近さに応じて、及び注視線下降に応じて正確に測定することにより、眼の自然な位置に応じて視力を矯正できることが望ましいであろう。
【００２２】
ここで、本発明の装置の各種の実施形態を詳しく説明するが、この実施形態では、両眼又は単眼眼科的測定を、被験者の複数の両眼又は単眼視方向において実施することにより、特に遠見視力及びより短距離（特に近見視及び／又は中間視距離）での視力測定を実行できる。
【００２３】
装置
図１は、本発明の第一の実施形態による、複数の視方向に沿った両眼又は単眼検眼装置の側面図を示す。検眼装置は、装置にしっかりと固定された外部測定システム（図示せず）を含み、外部測定システムは例えば、眼反射及び／又は屈折を利用し、両眼又は単眼視方向に沿って被験者による調節及び／又は輻輳を刺激する近さ可変視標を含む。測定システムは、測定対象の被検者の眼２０に向けられるように意図される測定光軸２に沿って光ビームを発する。測定システムは、同じ測定光軸２に沿って、対象の眼からの屈折及び／又は反射による光ビームを集光する。視標又は刺激テストパターンが、測定対象の被検者の眼２０に向けられるように意図される光ビームを発し、これが対象の眼の視軸に重ねられる。
【００２４】
図１は、短軸４と長軸５と、第一の焦点Ｙと第二の焦点Ｅを有する楕円３を示している。理想的には、測定対象の眼２０の光学回転中心（ＯＣＲ）は、楕円３の第一の焦点Ｙと一致する。実際には、第一の焦点Ｙを右眼２０のＯＣＲの付近に移動させる調整手段を含む。たとえば、装置は、顎当てと額支持部を含み、頭を設定位置に保つことのできるヘッドレストと、ヘッドレストと第一のミラー１６との間の相対位置を調整する手段と、を含む。好ましくは、顎当ての上で頭部を支え、第一の焦点Ｙと眼２０の光学回転中心の間の距離を、測定システムの視野を通じて調整し、常に眼の瞳が測定しようとしているすべての視方向に沿って見えるようにする。眼のＯＣＲは、２つのミラー１６と１８からなる光学システムによって形成される瞳の像が、何れの視方向についても測定軸２から１０ｍｍより大きくシフトしないように位置付ける必要がある。それゆえ、瞳の像は十分に鮮鋭に保たれ、測定システムの被写界深度を考慮して、所望の視方向に沿って測定を実行できる。
【００２５】
楕円３の第二の焦点は、眼科的測定装置の測定光軸２の上の点Ｅに置かれる。測定装置は、被検者の眼２０と測定光軸２の間に設置された光学システムをさらに含む。図１の実施形態において、光学システムは第一のミラー１６と第二のミラー１８で構成される、ミラーに基づく光学システムである。平面型の第一のミラー１６は、視方向を楕円３の第一の焦点Ｅに向けて方向転換させ、平面型の第二のミラー１８は、第一のミラーにより形成された視軸の像を補正することにより、それを被検者の複数の視方向での測定装置の光軸と整合させる。この目的のために、平面ミラー１６は楕円３に接する。この第一の実施形態において、平面型の第一のミラー１６と平面型の第二のミラー１８は、被検者の視方向に応じて並進及び／又は回転移動可能である。図１では、矢状面において、被検者の右眼２０の眼軸が３つの位置で示されており、すなわち、遠見視位置では水平の右眼軸が直線線分２１で示され、近見視位置では約４０度傾斜した右眼軸が直線線分２３で示され、中間視位置では、約２０度傾斜した右眼軸が直線線分２２で示されている。点Ｙと点Ｅの間に、それぞれ遠見視、中間視、近見視の眼軸に対応する３つの光路が示されている。線分２１に沿って伝播し、第一のミラー１６に点Ａで入射する光ビームは、ミラー１６により軸２２０に沿って点Ｅの方向に反射される。同様に、それぞれ線分２２、２３に沿って伝播し、それぞれ第一のミラー１６に点Ｂ、Ｃで入射する光ビームは、ミラー１６により点Ｅの方向に反射される。平面型の第二のミラー１８は測定装置の光路上に配置され、測定光軸２は平面型の第二のミラー１８に点Ｅで入射する。有利な点として、第二のミラー１８は点Ｅ回りに回転移動可能である。図１は３つの方位１８−Ａ、１８−Ｂ、１８−Ｃに沿って向き付けられた第二のミラー１８を示している。方位１８−Ａ、１８−Ｂ、１８−Ｃは、それぞれ方向２１０、２２０又は２３０に沿って伝播するビームがミラー１８からそれぞれ方位１８−Ａ、１８−Ｂ、１８−Ｃに沿って反射され、測定装置の方向に測定軸２に沿って伝播するように選択される。反対に、測定装置から発せられ、測定軸２に沿って伝播する照明ビームは、点Ｅで第二のミラー１８に入射する。第二のミラー１８の、それぞれ方位１８−Ａ、１８−Ｂ又は１８−Ｃに応じて、照明ビームはそれぞれ方向２１０、２２０又は２３０に反射される。第一のミラー１６と第二のミラー１８によって形成される光学システムによって、点Ｅを通過する測定軸２と点Ｙを通過する視軸及びその逆を、複数の視方向２１、２２、２３ごとに光学的に整合させることができる。したがって、点Ｅから発せられ、それぞれ光軸２１０、２２０又は２３０をたどる照明ビームは、それぞれ歯軸の方向２１、２２又は２３に反射される。移動可能な第一のミラー１６と向き付け可能な第二のミラー１８によって形成された光学システムによって、静止した装置の測定光軸２と被検者の視軸を複数の視方向について光学的に整合することができる。ＦＶ用の第一の測定位置では、第一のミラー１６は楕円３に点Ａで接し、第二のミラーの向きは１８−Ａとなる。ＩＶ用の第二の測定位置では、第一のミラー１６は楕円３に点Ｂで接し、第二のミラーの向きは１８−Ｂとなる。ＮＶ用の第三の測定位置では、第一のミラー１６は楕円３に点Ｃで接し、第二のミラーの方位は１８−Ｃとなる。位置１８−Ａにおいて、第二のミラー１８の法線は測定光軸２と軸２１０の間の二等分線と整合する。位置１８−Ｂにおいて、第二のミラー１８の法線は測定光軸２と軸２２０の間の二等分線と整合する。位置１８−Ｃにおいて、第二のミラー１８の法線は測定光軸２と軸２３０の間の二等分線と整合する。点Ａ、Ｂ、Ｃはその焦点が点Ｙと点Ｅである楕円３と接するため、このシステムは、同一の光路ＹＡＥ、ＹＢＥ、ＹＣＥを視方向２１、２２、２３について保持できる。
【００２６】
あるいは、第一のミラー１６は凹面、球面、楕円、又は楕円面ミラーであり、第二のミラー１８は屈折率非ゼロのミラーであり、ミラー１６と１８からなる光学システムは一次収差に対して無限焦点である。
【００２７】
当業者であれば、カム、案内システム、ヒンジ式リンクコネクションロッドのシステム、又はその他の単純な機械的システムを提供して、第一のミラー１６を楕円軌道に近い軌道に沿って移動させることができるであろう。
【００２８】
図１に示される実施形態において、第一のミラー１６は、リンクコネクティングロッド８、９のシステムに取り付けられて、並進運動と回転運動の両方が可能である。第一のリンクコネクティングロッド８は、リンクコネクティングロッド固定点６に接続される第一の端と、リンクコネクティングロッド固定点１６１を介してミラー１６に接続される第二の端を含む。第二のリンクコネクティングロッド９は、リンクコネクティングロッド固定点７に接続された第一の端と、リンクコネクティングロッド固定点１６２を介してミラー１６に接続された第二の端を含む。リンクコネクティングロッド８と９を含むシステムは、第一のミラー１６の運動が楕円３と接するようにヒンジ式に動く。リンクコネクティングロッドを含むヒンジ式システムは、以下のような寸法としてもよい。第一のミラー１６の少なくとも３点（それぞれ点Ａ、Ｂ、Ｃに対応する）が楕円３上に置かれる（例えば、２つの極端位置Ａ、Ｂと中間位置Ｂ）。第一のミラー１６の寸法は、すべての眼軸位置２１、２２、２３のそれぞれについて、測定システムの光線を追跡することによって発見されるその有効開口によって決められる。第一のミラー１６には２つのリンクコネクティングロッド固定点１６１、１６２が選択されている。リンクコネクティングロッド８、９の各々は、それぞれ少なくとも２つの位置８−Ａ、８−Ｂ、８−Ｃと９−Ａ、９−Ｂ、９−Ｃを占める。２つのリンク固定点１６１、１６２の各々について、３つの連続する点を通過する円の中心が計算される。２つの中心ＦとＨはそれぞれ、リンクコネクティングロッド６と７をそれぞれ固定するための静止地点に対応する。次に、第一のミラー１６の上のリンク固定点１６１、１６２の位置は、眼に向かって伝播する軸ＡＥと中間位置の眼の間の整合エラーが最小限になるように最適化されてもよい。さらに、コスト、嵩、又は重さの面での制約に関して、特定のパラメータが最適化されてもよく（楕円３の大きさ等）、又は制限されるかもしれない。
【００２９】
あるいは、ミラー１６を移動させるためのカム式システムを、リンクコネクティングロッドに基づくヒンジ式システムの代わりに使用してもよい。
【００３０】
第一のミラーを楕円３に接した状態で移動させるためにどの移動システムを選択するかにかかわらず（リンクコネクティングロッド、カム、又は他のシステム）、点ＥとＹの間の光路の長さは、光路Ｙ−Ａ−Ｅ、Ｙ−Ｂ−Ｅ又はＹ−Ｃ−Ｅの何れについても一定に保たれる。これに加えて、軸ＥＰは視軸の方向によって変化しない。ミラー１６と１８から形成される光学システムにより、測定光軸２を各種の注視方向、それぞれ２１、２２、２３に沿った眼軸の像と整合させることができる。第一の実施形態によって、広い角度範囲で視方向に応じた眼科的測定を実行することが可能となる。リンクコネクティングロッドに基づくヒンジ式システムにより、限定された大きさ、したがって比較的低コストの第一のミラー１６を使用することができる。
【００３１】
図１の装置は、眼科的測定装置を動かして被験者の眼軸と整合させる必要がない。定義によれば、点Ｙと点Ｅの間の光路は、どの経路をたどるかを問わず、すなわち視方向を問わず一定である。この光学的共役システムは、眼と測定装置の間の光路の長さが、両眼又は単眼視方向に関係なく、変わらないという利点を有する。したがって、様々な測定位置と眼の焦点に合わせて視標の鮮鋭を変える必要がない。
【００３２】
図２は、本発明の第一の実施形態の変形による両眼用又は単眼用検眼装置の側面図を示す。図２は、図１の第一の実施形態の簡略化された変形である。図１と同じ要素は同じ参照番号で示されている。この測定装置も、測定軸２を有する測定装置（図示せず）と、ミラーに基づく光学システムを含む。図２において、光学システムは、２つのミラー１６−Ａと１６−Ｃと１つの平面型の第二のミラー１８の集合を含み、こらミラーは図１の装置のそれらと同様である。この変形版では、ミラー１６−Ａと１６−Ｃはそれぞれ２つの事前設定された位置ＡとＣに固定される。第二のミラー１８も、同じく２つの事前設定された位置１８−Ａと１８−Ｃを有する向き付け可能な平面ミラーである。図２の装置により、例えば遠見視力測定と近見視力測定に対応する２つの両眼又は単眼視方向に沿った測定を実行できる。図２の装置は特に、ＦＶ／ＮＶ示差的測定の実行を可能にする。これら２つの位置において、ミラー１６−Ａと１６−Ｃは楕円に接し、点ＥとＹは光学的に共役である。ミラー１８は、第一の位置１８−Ａと第二の位置１８−Ｃとの間で点Ｅ回りに回転移動可能である。これらの２つの点は事前設定される。第二のミラーを回転駆動するシステムは、より簡単な、２つの停止点の間で切り替わるシステムとしてもよい。この第二の実施形態によれば、ミラー１６−Ａは、視線２１との交差点である点Ａで楕円３に接し、ミラー１６−Ｃは、視線２３との交差点である点Ｃで楕円３に接する。ミラー１６−Ａにより形成される視線２１の像は、点Ｅを通過する。同様に、ミラー１６−Ｃにより形成される視線２３の像は点Ｅを通過する。それゆえ、視軸が軸２１に沿って向き付けられた時の光路Ｙ−Ａ−Ｅの長さは、視軸が軸２３に沿って向き付けられた時の光路Ｙ−Ｃ−Ｅの長さと同じである。さらに、ミラー１８が位置１８−Ａの向きにある時、ミラー１６−Ａと位置１８−Ａのミラー１８により形成される視線２１の像は測定軸２と重なる。同様に、ミラー１８が位置１８−Ｃの向きにある時、ミラー１６−Ｃと位置１８−Ｃにあるミラー１８によって形成される視線２３の像は測定軸２と重なる。
【００３３】
図３は、図２の実施形態の第二の変形を示す。図３の装置は、異なる近さの２つのテストパターン４０−Ａと４０−Ｃを含み、これらのテストパターン４０−Ａと４０−Ｃは眼科的測定装置から離れている。非限定な説明のための例として、テストパターン４０−Ａは遠見視位置に対応する近さを有し、テストパターン４０−Ａは近見視位置に対応する近さを有する。この第二の変形版において、ミラー１６−Ａと１６−Ｃはそれぞれダイクロイックプレート２６−Ａと２６−Ｃに置き換えられており、これらはいわゆるホットミラーである。ホットミラー２６−Ａと２６−Ｃは、可視ビーム（４００〜７００ｎｍ）を透過させ、近赤外ビーム（７５０〜１１００ｎｍ）は反射することができる。焦点として点Ｙと点Ｅを有する楕円３が画定される。点Ｙは、被測定眼のＯＣＲに重ねられるように意図される。ホットミラー２６−Ａは、点Ａで楕円３と接し、ホットミラー２６−Ｃは点Ｃで楕円３と接する。ミラー１８は、点Ｅにおいて測定光軸２をカットし、点１８−Ａと点１８−Ｃの間で点Ｅ回りに旋回する。
【００３４】
第一の測定位置において、テストパターン４０−Ａは、可視光の光学的刺激ビームを発して被検者の遠見視調節を刺激し、これに対して、テストパターン４０−Ｃはオフにされる。この時、ミラー１８は位置１８−Ａにある。ホットミラー２６−Ａは可視範囲の光学刺激ビームを伝送して、刺激ビームの光軸が点Ａと点Ｙを通過する視方向２１と重なるようにする。測定装置は近赤外光の照明ビームを生成し、このビームは測定光軸２と整合する。位置１８−Ａのミラー１８は照明ビームを、点Ｅと点Ａを通過する方向２１０に反射する。ホットミラー２６−Ａは近赤外光の照明ビームを、遠見視方向に対応する視軸２１の方向に反射する。測定ビームは、視方向２１に向かう眼２０からの照明ビームの反射及び／又は屈折によって形成される。ホットミラー２６−Ａは、測定ビームを方向２１０にミラー１８の点Ｅに向かって反射する。位置１８−Ａのミラー１８は、測定ビームを測定軸２に沿って反射する。それゆえ、この装置によれば、眼を第一の視方向２１に向けた状態で眼科的測定を実行できる。
【００３５】
他の測定位置では、テストパターン４０−Ｃが可視光の光学刺激ビームを発して、被検者の近見視調節を刺激し、これに対して、テストパターン４０−Ａはオフにされる。この時、ミラー１８は位置１８−Ｃにある。ホットミラー２６−Ｃが可視光の光学刺激ビームを伝送して、刺激ビームの光軸が点Ｃと点Ｙを通過する他の視方向２３と重なるようにする。測定装置は近赤外光の照明ビームを生成し、このビームは測定光軸２と整合する。位置１８−Ｃのミラー１８は照明ビームを、点Ｅと点Ｃを通過する方向２３０に反射する。ホットミラー２６−Ｃは近赤外光の照明ビームを、近見視方向に対応する視軸２３の方向に反射する。測定ビームは、視方向２３に向かう眼２０からの照明ビームの反射及び／又は屈折によって形成される。ホットミラー２６−Ｃは、測定ビームを方向２３０にミラー１８の点Ｅに向かって反射する。位置１８−Ｃのミラー１８は、測定ビームを測定軸２に沿って反射する。
【００３６】
図３に示されるように、第一の実施形態の第二の変形によれば、ホットミラー２６−Ａ、２６−Ｃと旋回するミラー１８によって形成される光学システムにより、測定光軸２を遠見視方向２１と近見視方向２３と、それぞれ、同じ光路長を有する２つの光路Ｅ−Ａ−ＹとＥ−Ｃ−Ｙに沿って整合させることができる。
【００３７】
図４は、本発明の第二の実施形態による視方向に応じた検眼装置の側面図を示す。図４の装置は、第一のミラー１６と第二のミラー１８によって形成される光学システムを含む。有利な点として、第一のミラー１６は楕円３の一部により形成され、光学的焦点として点ＥとＹを有する。方向付け用の第二のミラー１８は、光学的パワーが非ゼロのミラー又は、第一のミラー１６の光学収差を補正できる変形可能なミラーである。第二のミラー１８は、点Ｅ回りに旋回可能に取り付けられる。第一の実施形態と異なり、楕円面型の第一のミラー１６は静止したままである。定義により、点ＥとＹは第一のミラー１６を介して光学的に共役である。図４では３つの測定位置が示され、これらの位置は３つの両眼又は単眼視方向に対応する。線分２１に沿って伝播し、点Ａで第一のミラー１６に入射する光ビームは、ミラー１６によって軸２１０に沿って点Ｅの方向に反射される。同様に、それぞれ線分２２、２３に沿って伝播し、それぞれ点Ｂ、Ｃで第一のミラー１６に入射する光ビームは、ミラー１６によってそれぞれ軸２２０、２３０に沿って点Ｅの方向に反射される。第二のミラー１８は、それぞれ３つの地点１８−Ａ、１８−Ｂ、１８−Ｃに沿って向き付けることができ、それによって第一のミラー１６を介して眼軸の像が補正され、これが測定光軸２と整合される。位置１８−Ａでは、第二のミラー１８の法線が測定光軸２と軸２１０の間の二等分線と整合する。位置１８−Ｂでは、第二のミラー１８の法線が測定光軸２と軸２２０の間の二等分線と整合する。位置１８−Ｃでは、第二のミラー１８の法線が測定光軸２と軸２３０の間の二等分線と整合する。有利な点として、第二のミラー１８は変形可能ミラーであって、両眼又は単眼視方向に応じて、すなわちミラー１８の向きに応じて、第一のミラー１６の収差を補償する。第二のミラー１８に適用される補正のための変形は、第二のミラー１８の向きに応じて事前設定されていてもよい。楕円面型の第一のミラー１６により、点Ｙと一致する眼の光学回転中心が測定光軸２の上の点Ｅと光学的に共役となりえ、光路長は様々な両眼又は単眼視方向について一定のままである。第二のミラー１８によって、眼軸の像を補正して測定光軸２と整合させることができる。図４の光学的共役システムは３つの測定位置での動作を示している。しかしながら、楕円面型の第一のミラー１６によって、連続的な範囲の両眼又は単眼注視視方向について測定を行うことが可能となる。他の両眼又は単眼視方向における他の測定も可能である。第二のミラーを両眼又は単眼視方向に応じて向き付けするだけで、測定光軸２は、特定の両眼又は単眼視方向に対して、光学的共役システムを介して眼軸の像と整合される。図４の装置の利点は、動かす必要のあるのが１つの部品、すなわち第二のミラー１８だけで、第一のミラー１６は静止したままである、という点である。この実施形態において、平面型の第二のミラー１８を１回回転させれば、測定光軸２を各種の視方向について眼軸の像と整合できる。しかしながら、測定範囲は、両眼又は単眼視方向に応じて、楕円面ミラーの大きさに関係する。所望の角度測定範囲が広いほど、楕円面ミラーのコストが高くなり、収差の補正も難しくなる。
【００３８】
図１〜４に関して説明した装置は、複数の視方向に沿った両眼又は単眼測定を可能にする。
【００３９】
図１〜４の、楕円３の軸５を含む平面は、注視軸方向の変化が輻輳を伴わない注視線の下降に対応する場合、矢状面に平行であってもよく、あるいは、図１〜４の、楕円３の軸５を含む平面は、注視線方向の変化が注視線の下降を伴わない両眼の輻輳に対応する場合、フランクフルト平面に平行であってもよい。注視線の下降移動と輻輳が複合する場合、図１〜４の平面は矢状面に関してある設定された傾斜で傾いた平面であってもよい。１つの有利な実施形態において、装置は、楕円３の軸５を含む平面を軸５回りに回転させることができる回転手段を含む。また別の実施形態によれば、楕円３の平面は軸ＹＡの周囲で傾斜されてもよく、下降と輻輳は事前設定された方法で関係付けられる。
【００４０】
図５は、本発明の第三の実施形態による眼科的測定システムを示す。装置は、単眼測定を測定光軸２に沿って実行できる単眼測定装置１を含む。好ましくは、測定装置１は、遠見視刺激のための光学刺激ビームを生成できる内部視標を含む。単眼測定装置１は並進移動可能で（水平の矢印）、被測定眼に対向して設置できる。図５の装置は、両眼による調節と輻輳を同時に刺激できる両眼視標４０を含む。有利な態様では、視標４０の高さは近見視位置に対応する。装置はまた、各眼のための光学整合システムを含み、これによって、光路の長さを変えずに複数の注視方向に沿った測定を行うことができる。２つのホットミラー３１−Ａ、４１−Ａを含む光学システムは、眼にできるだけ近い位置に配置して、ＮＶ調節と輻輳を刺激できるようにする。焦点４０は、矢状面内で０．５〜１０ディオプタの近さに設置して、眼輻輳を起こさせる。有利な態様としては、ホットミラー３１−Ａ、４１−Ａと視標４０は両眼ＮＶ注視線の下降と輻輳を復号させるように配置する。ホットミラー３１−Ａと４１−Ａは、焦点４０を可視光内で観察できるようにし、その一方で赤外光の測定ビームを、それぞれ旋回ミラー３２又は４２に向かって、単眼測定装置１の測定軸２の方向に向かって反射する。ＮＶ視標４０をオンにすると、装置はそれゆえ、それぞれ左眼１０については１３、右眼２０については２３のＮＶ視方向で単眼測定を行うことができる。装置は、ホットミラー３１−Ｂ、４１−Ｂをさらに含み、これらは、それぞれ左眼１０については１１、右眼２０については２１のＦＶ視方向でＦＶ測定を行えるように配置される。向き付け可能なミラー３２、４２によって、ＦＶ測定位置から他のＮＶ測定位置に、及びその逆に移行させることができる。ＦＶ位置では、眼は測定装置１の刺激を見るため、これは単眼用である。これに対して、ＮＶ位置では刺激４０が両眼で見られ、それによって注視線を下げて、１点への輻輳と調節を得ることができる。それゆえ、単眼用測定装置によって、ＦＶ測定とＮＶ測定を実行できる。それぞれミラー３１−Ａ、ミラー３１−Ｂは、それぞれ点Ａと点Ｂで、左眼１０のＯＣＲと整合する点Ｙ及び測定軸２とミラー３２の交差点に位置する点Ｅを焦点として有する楕円と接するように設置される。同様に、それぞれミラー４１−Ａ、ミラー４１−Ｂは、それぞれ点Ａ’と点Ｂ’において、右眼２０のＯＣＲと整合する点Ｙ’と、測定軸２とミラー４２との交差点に位置する点Ｅ’を焦点として有する楕円と接するように配置される。このようにして、被測定眼のＯＣＲと眼科的測定装置１の間の光路は、ＮＶとＦＶ視方向について同一である。
【００４１】
図６Ａ〜６Ｆは、本発明の１つの好ましい実施形態による両眼用装置の各種の図面を概略的に示す。これは図５の装置を変形したものであり、並進移動可能な単眼用測定装置の代わりに２つの単眼測定装置が設置されており、これらはそれぞれ右測定軸２Ｄと左測定軸２Ｇを有し、これらはそれぞれ右眼と左眼専用であり、それによって並進運動が回避される。図６Ａ、６Ｂ、６Ｃは装置のＦＶ動作を示しており、視線は水平である。図６Ｄ、６Ｅ、６Ｆは装置のＮＶ動作を示しており、視線は水平に関して下降し、注視線が輻輳している。図６Ａと６Ｄは測定装置の斜視図であり、図６Ｂと６Ｅは上面図であり、図６Ｂと６Ｅは装置の正面図である。異なる実施形態に関しても、同じ参照番号は同じ要素に対応する。光学整合システムだけが図６Ａ〜６Ｆに示されており、他の要素は示されていない。装置は、両眼による調節と輻輳を同時に刺激できる両眼視標を含む。図６Ａと６Ｄにおいて、被検者の左眼の測定軸２Ｇは手前側に示され、被検者の右眼の測定軸２Ｄは奥側に示される。装置はヘッドレスト１００を含み、これは顎当て１０１と、額を当てることによって被検者の頭３０が固定位置に保持される領域を含む。有利な態様としては、被検者の頭は、そのフランクフルト平面が水平になるような位置に保持される。特定の具体的な測定時には、ヘッドレストを傾斜させて、測定が被検者の頭の姿勢を変えて行われるようにしてもよい。装置は第一の光学システムを含み、これは静止している楕円面型の第一のミラー１６と、旋回又は回転移動可能な第二のミラー１８と、右眼２０専用で測定軸２Ｄに沿って配置された眼科的測定装置と、を含む。装置はまた第二の光学整合システムを含み、これは静止した楕円面型の第一のミラー１５（すなわち、楕円軌道に沿って移動可能なミラーではない）と、パワーが非ゼロの旋回又は回転移動可能な第二のミラー１７と、左眼１０専用で測定軸２Ｇに沿って配置された眼科用測定装置と、を含む。図６Ａ〜６Ｆの装置はまた、顎当て１００の一部１０１及び／又は光学整合システムに作用して、楕円面型のミラー１５の焦点を左眼１０の光学的回転中心の付近に誘導するための調整手段を含む。同様に、楕円面型のミラー１６の焦点を右眼２０のＯＣＲの付近に誘導するための調整手段も設置される。左右の光学整合システムの高さは、別々に調整されて、測定軸を被検者の目の高さに応じて整合させてもよい。有利な態様として、左右の光学整合システムが、特にミラー１７と１８の向き付けのために連結される。
【００４２】
図６Ａ〜６Ｃにおいて、被検者は遠見視に対応する視姿勢でテストパターンを観察し、すなわち、右眼軸２１と左眼軸１１が水平で、実質的に相互に平行である（被検者の視覚異常が生じる手前まで）。それぞれ楕円面型のミラー１５、１６は、それぞれ左眼軸１１を方向１１０に沿って、右眼軸２１を方向２１０に沿って、それぞれ第二のミラー１７、１８に向かって方向付ける。この遠見視姿勢では、ミラー１７は、左眼軸の像が左測定軸２Ｇと整合するような向きであり、それぞれ、ミラー１８は、右眼軸の像が右測定軸２Ｄと整合するような向きである。
【００４３】
図６Ｄ〜６Ｆにおいて、被検者は近見視に対応する視姿勢でテストパターンを観察し、すなわち、右眼軸２３と左眼軸１３が下降し、輻輳する。それぞれ楕円面型のミラー１５、１６は、それぞれ左眼軸１３を方向１３０に沿って、右眼軸２３を方向２３０に沿って、それぞれ第二のミラー１７、１８に向かって方向付ける。楕円面型のミラー１５、１６は、各種の測定位置については静止したままである。この近見視姿勢では、ミラー１７は、左眼軸２３０の像が左測定軸２Ｇと整合するような向きであり、それぞれ、ミラー１８は、右眼軸１３０の像が右測定軸２Ｄと整合するような向きである。
【００４４】
図６Ａ〜６Ｆの装置は、単眼測定を各眼について、複数の両眼視方向に沿って行うことができる。楕円面型のミラー１５、１６とミラー１７、１８を含む光学整合システムにより、眼科的測定を複数の注視方向に沿って行うことができ、その間、各種の注視方向に沿った光路長が一定に保たれる。左右の単眼測定装置は静止したままである。有利な点として、第二のミラー１７と１８だけが旋回点回りに回転移動可能とされ、楕円面型のミラー１５と１６によって生じる一次収差が補償される。
【００４５】
両側瞳孔間距離パラメータ（１／２  ＩＰＤ）の値は、対称又は非対称に（両側ＩＰＤにより調整される）、及び外部の測定（Ｖｉｓｉｏｆｆｉｃｅ又は瞳孔計）に基づいて、又は整合中の装置のＦＶ再校正に基づいて適応されてもよい。
【００４６】
本発明は、屈折力に基づく眼科的測定を行う人、及び被検者の眼の生理的傾斜を考慮した測定を提供し、又は実行したい人にとって特に適している。
【００４７】
本発明の装置は、検眼士又は眼科医が、又は眼鏡技師が、眼鏡をカスタマイズするためのパラメータを決定するために使用できる。
【００４８】
装置と方法と本発明は、累進又は多焦点矯正レンズの処方に必要な手段を定義する役割を果たしうる。
【００４９】
本発明により、各眼の光学測定軸を有する両眼又は単眼用眼科的測定装置を、複数の両眼又は単眼視方向に沿って測定できるように適応することが可能となる。有利な点として、本発明の装置により、注視方向を考慮した遠見視／近見視示差的眼科的測定を実行することができる。
【図１】
2015502232.tif 000003
【図２】
2015502232.tif 000004
【図３】
2015502232.tif 000005
【図４】
2015502232.tif 000006
【図５】
2015502232.tif 000007
【図６Ａ】
2015502232.tif 000008
【図６Ｂ】
2015502232.tif 000009
【図６Ｃ】
2015502232.tif 000010
【図６Ｄ】
2015502232.tif 000011
【図６Ｅ】
2015502232.tif 000012
【図６Ｆ】
2015502232.tif 000013
【国際調査報告】
2015502232.tif 000014
2015502232.tif 000015
2015502232.tif 000016
2015502232.tif 000017
2015502232.tif 000018
2015502232.tif 000019